(57)【要約】【課題】バルコニー床面と隔て板（パーテーション）との間の隙間を閉塞して、プライバシーの保護を図る。【解決手段】本発明に係るバルコニー用仕切り装置１は、バルコニー床面ＢＦにおける隣家との境界線Ｃに沿って配置されてなる断面略逆Ｔ字状の下側仕切り手段２と、該下側仕切り手段２に対して移動自在となるように該下側仕切り手段２の上側に配置されてなる上側仕切り手段３と、によって構成されている。そして、この上側仕切り手段３を適切な位置に配置することにより、これらの下側仕切り手段２と上側仕切り手段３とによって前記隙間（つまり、バルコニー床面ＢＦと隔て板Ｅとの間の隙間）を完全に閉塞することができ、プライバシーの保護を図ることができる。【選択図】図１
2018053620.tif 000002
【特許請求の範囲】
【請求項１】
集合住宅のバルコニー床面における隣家との境界線に沿って配置されて使用されるバルコニー用仕切り装置において、
前記バルコニー床面に当接した状態で前記境界線に沿うように配置される基部と、前記境界線に沿うように該基部から立設されると共に表面に凹凸部が形成されてなる立設部と、を有する下側仕切り手段、及び、
断面が略コ字状の部分を有すると共に該略コ字状の部分が前記立設部を挟持することにより前記下側仕切り手段の上側に配置される上側仕切り手段、
を備え、
前記上側仕切り手段は、前記下側仕切り手段に形成された前記凹凸部との係合状態を変更することにより該下側仕切り手段に対する相対位置を変更できるように構成された、
ことを特徴とするバルコニー用仕切り装置。
【請求項２】
前記下側仕切り手段は、エアコンの室内機からのドレンホースが接続されると共にドレン水を取り入れるための取水口と、該取水口に連通されてなる空洞と、該空洞に連通されると共に前記ドレン水を排水する排水口と、を有する、
ことを特徴とする請求項１に記載のバルコニー用仕切り装置。
【請求項３】
前記立設部には、バルコニーの排水溝内に配置される略棒状の部分を有してゴミが該排水溝を流れて行かないようにするゴミ止め部が係止された、
ことを特徴とする請求項２に記載のバルコニー用仕切り装置。
【請求項４】
前記略棒状の部分は櫛歯状である、
ことを特徴とする請求項３に記載のバルコニー用仕切り装置。
【請求項５】
前記空洞は、前記下側仕切り手段の前記立設部に形成され、
該立設部は、少なくとも前記排水溝に近接する側の端部が開口され、
前記ゴミ止め部は、該開口及び前記空洞を閉塞するように前記立設部に係止される、
ことを特徴とする請求項３又は４に記載のバルコニー用仕切り装置。
【請求項６】
前記上側仕切り手段は、前記境界線に沿うと共に前記バルコニー床面から離間した状態で配置されてなる隔て板の下縁に当接するように配置されてなる、
ことを特徴とする請求項１乃至５のいずれか１項に記載のバルコニー用仕切り装置。
【発明の詳細な説明】
【技術分野】
【０００１】
本発明は、集合住宅のバルコニー床面における隣家との境界線に沿って配置されて使用されるバルコニー用仕切り装置に関する。
【背景技術】
【０００２】
従来、集合住宅のバルコニーでは、植物の生育のためやバルコニーの清掃のためなどに水を使用することがあるが、それらの水や埃などがバルコニー床面を伝って隣りの住戸に侵入することを防止する必要があった。そのための仕切り装置（バルコニー用仕切り装置）については幾つかの構造のものが提案されている（例えば、特許文献１参照）。
【０００３】
図４（ａ）は、バルコニー用仕切り装置の従来構造の一例を示す斜視図であって、該仕切り装置（符号１２参照）は、バルコニー床面に当接するように配置される板状の基部１２１と、該基部１２１の全長に亘って立設された板状の立設部１２２と、によって断面が略逆Ｔ字状となるように構成されている。そして、この仕切り装置１２は、図４（ｂ）に例示するように、隔て板（パーテーション）Ｅと前記バルコニー床面ＢＦとの間に配置されて、隣りの住戸からの水等が入り込まないようにされていた。
【先行技術文献】
【特許文献】
【０００４】
【特許文献１】特開２０１４−１１８７０８号公報
【発明の概要】
【発明が解決しようとする課題】
【０００５】
ところで、前記バルコニー床面ＢＦには、水はけを良くするために水勾配がつけられているが、その勾配を一定にすることは難しく、どうしてもバラツキが生じてしまう。そのため、前記隔て板Ｅと該バルコニー床面ＢＦとの間の隙間（離間距離）にもバラツキが生じてしまい、同じサイズの前記仕切り装置１２ではそのようなバラツキのある隙間を一律に閉塞することは困難で（つまり、前記バルコニー床面ＢＦと前記仕切り装置１２との間にはどうしても隙間が残ってしまい）、隣家からの視線などを完全に遮断することはできず、その分、プライバシーの保護を図ることができていなかった。
【０００６】
本発明は、上述の問題を解消することのできるバルコニー用仕切り装置を提供することを目的とするものである。
【課題を解決するための手段】
【０００７】
本発明の第１の観点は、図１に例示するものであって、集合住宅のバルコニー床面（ＢＦ）における隣家との境界線（Ｃ）に沿って配置されて使用されるバルコニー用仕切り装置（１）において、
前記バルコニー床面（ＢＦ）に当接した状態で前記境界線（Ｃ）に沿うように配置される基部（２１）と、前記境界線（Ｃ）に沿うように該基部（２１）から立設されると共に表面（２２ａ）に凹凸部（２２ｂ）が形成されてなる立設部（２２）と、を有する下側仕切り手段（２）、及び、
断面が略コ字状の部分（３ａ）を有すると共に該略コ字状の部分（３ａ）が前記立設部（２２）を挟持することにより前記下側仕切り手段（２）の上側に配置される上側仕切り手段（３）、
を備え、
前記上側仕切り手段（３）は、前記下側仕切り手段（２）に形成された前記凹凸部（２２ｂ）との係合状態を変更することにより該下側仕切り手段（２）に対する相対位置を変更できるように構成されたことを特徴とする。
【０００８】
本発明の第２の観点は、図３（ｂ）に例示するものであって、前記下側仕切り手段（２）が、エアコンの室内機からのドレンホース（不図示）が接続されると共にドレン水を取り入れるための取水口（２２ｅ）と、該取水口（２２ｅ）に連通されてなる空洞（２２ｄ）と、該空洞（２２ｄ）に連通されると共に前記ドレン水を排水する排水口（２２ｆ）と、を有することを特徴とする。
【０００９】
本発明の第３の観点は、図３（ａ）（ｂ）に例示するものであって、前記立設部（２２）には、バルコニー（Ｂ）の排水溝（Ｈ）内に配置される略棒状の部分（４ａ）を有してゴミが該排水溝（Ｈ）を流れて行かないようにするゴミ止め部（４）が係止されたことを特徴とする。
【００１０】
本発明の第４の観点は、前記略棒状の部分（４ａ）が櫛歯状であることを特徴とする。
【００１１】
本発明の第５の観点は、前記空洞（２２ｄ）が、前記下側仕切り手段（２）の前記立設部（２２）に形成され、
該立設部（２２）は、少なくとも前記排水溝（Ｈ）に近接する側の端部が開口され（図３（ｂ）の符号２２ｇ参照）、
前記ゴミ止め部（４）は、該開口（２２ｇ）及び前記空洞（２２ｄ）を閉塞するように前記立設部（２２）に係止されることを特徴とする。
【００１２】
本発明の第６の観点は、前記上側仕切り手段（３）が、前記境界線（Ｃ）に沿うと共に前記バルコニー床面（ＢＦ）から離間した状態で配置されてなる隔て板（Ｅ）の下縁（図１の符号Ｅａ参照）に当接するように配置されてなることを特徴とする。
【００１３】
なお、括弧内の番号などは、図面における対応する要素を示す便宜的なものであり、従って、本記述は図面上の記載に限定拘束されるものではない。
【発明の効果】
【００１４】
上記した第１及び６の観点によれば、前記隔て板と前記バルコニー床面との間の隙間を完全に閉塞することができるので、プライバシーの保護を図ることができる。
【００１５】
上記した第２の観点によれば、前記下側仕切り手段をドレン水の排水経路として利用することができるので、前記バルコニーを横切るようにドレンホースを配置する必要が無く、見栄えを向上させることができる。
【００１６】
上記した第３乃至５の観点によれば、落ち葉などのゴミが前記排水溝を流れて行かないようにすることができる。
【図面の簡単な説明】
【００１７】
【図１】図１は、本発明に係るバルコニー用仕切り装置の構造の一例を示す斜視図である。
【図２】図２は、本発明に係るバルコニー用仕切り装置の使用状態の一例を示す側面図である。
【図３】図３（ａ）は、本発明に係るバルコニー用仕切り装置の構造の他の例を示す側面図であり、同図（ｂ）は、該バルコニー用仕切り装置の構造を説明するための分解図である。
【図４】図４（ａ）は、バルコニー用仕切り装置の従来構造の一例を示す斜視図であり、同図（ｂ）は、その使用状態の一例を示す斜視図である。
【発明を実施するための形態】
【００１８】
以下、図１乃至図３に沿って、本発明の実施の形態について説明する。
【００１９】
本発明に係るバルコニー用仕切り装置は、集合住宅のバルコニー床面における隣家との境界線に沿って配置されて使用されるものである。
【００２０】
本発明に係るバルコニー用仕切り装置は、図１に符号１で例示するものであって、
・  前記バルコニー床面ＢＦに当接した状態で配置される下側仕切り手段２と、
・  該下側仕切り手段２の上側に配置される上側仕切り手段３と、
を備えている。
【００２１】
この内、下側仕切り手段２は、
・  前記バルコニー床面ＢＦに当接した状態で配置される略板状の基部２１と、
・  該基部２１から立設される略板状の立設部２２と、
を有している。前記基部２１は、前記境界線Ｃ（つまり、前記バルコニー床面ＢＦにおける隣家との境界線Ｃ）に沿うように該バルコニー床面ＢＦのほぼ全幅に亘って該床面ＢＦを横切るように配置されていると良い。なお、該基部２１は接着剤や他の手段により前記バルコニー床面ＢＦに貼り付けると良く、該基部２１が貼り付けられていない部分（つまり、バルコニー床面ＢＦの自家専有使用領域ＢＦ１や隣家専有使用領域ＢＦ２）には塩ビシートＧを貼り付けると良い。その場合、前記基部２１と前記塩ビシートはほぼ同じ厚みにすると良い。他方の立設部２２もまた、前記境界線Ｃに沿うように該バルコニー床面ＢＦのほぼ全幅に亘って該床面ＢＦを横切るように配置されていると良い。そして、該立設部２２の表面（厳密には、前記バルコニー床面ＢＦの自家専有使用領域ＢＦ１や隣家専有使用領域ＢＦ２に対峙する側の側面）２２ａに凹凸部２２ｂが形成されている。図１に示す例では、小さな凸部２２ｃが前記境界線Ｃに沿って部分的に形成されているが、もちろんこれに限られるものではなく、部分的ではなく前記境界線Ｃに沿って全体的に形成されていても良い。また、図１に例示するような凸部２２ｃではなく凹部や孔部が形成されていても良く、前記境界線Ｃに沿うように溝部や突条部が形成されていても良い。該溝部や突条部は略水平に形成しておくと良い。そのようにした場合には、次述する上側仕切り手段３の下端縁部３ｂが該溝部や該突条部に沿って配置されて略水平となり、該上側仕切り手段３を略水平な姿勢に保持することが容易に可能となる。
【００２２】
一方、上述した上側仕切り手段３は、断面が略コ字状の部分３ａを有しており、該略コ字状の部分３ａ（特に、該略コ字状の部分３ａの下端縁部３ｂ）が前記立設部２２を挟持することにより前記下側仕切り手段２の上側に配置されるようになっている。該下側仕切り手段２及び該上側仕切り手段３は、上述した構成となっているので、該上側仕切り手段３の前記凹凸部２２ｂとの係合状態（係合位置）を変更することにより、該上側仕切り手段３の前記下側仕切り手段２に対する相対位置（該下側仕切り手段２に対する高さや角度）を変更できるようになっている。なお、バルコニーＢには、通常、自家専有使用領域ＢＦ１と隣家専有使用領域ＢＦ２とを仕切るように隔て板（パーテーション）が配置されているが（図１及び図２の符号Ｅ参照）、該隔て板Ｅはバルコニー床面ＢＦから離間して配置されている場合が多い。そこで、前記下側仕切り手段２と前記上側仕切り手段３とによって該隔て板Ｅと該バルコニー床面ＢＦとの間の隙間を閉塞するようにすると良い。すなわち、前記上側仕切り手段３は、前記境界線Ｃに沿うと共に前記バルコニー床面ＢＦから離間した状態で配置されてなる隔て板Ｅの下縁Ｅａに当接するように配置すると良い。その場合、該上側仕切り手段３と該隔て板Ｅの下縁Ｅａとの間には、柔らかい素材で形成された隙間塞ぎ材を介装させても良い。
【００２３】
集合住宅のバルコニーＢでは、植物の生育のためやバルコニーＢの清掃のためなどに水を使用することがあるが、本発明によれば、それらの水や埃がバルコニー床面ＢＦを伝って隣りの住戸に侵入することを防止することができる。また、本発明によれば、前記バルコニー床面ＢＦの水勾配のバラツキにかかわらず、前記隔て板Ｅと該バルコニー床面ＢＦとの間の隙間を完全に閉塞することができるので、プライバシーの保護を図ることができる。
【００２４】
なお、前記上側仕切り手段３は、適切な位置に配置した状態で前記下側仕切り手段２に固定すれば良く、その固定には市販の接着剤を使用すると良い。また、これらの下側仕切り手段２及び上側仕切り手段３は樹脂（例えば、塩化ビニール）で形成すると良いが、ステンレスやその他の材料で形成しても良い。
【００２５】
ところで、前記下側仕切り手段２の前記立設部２２の内部には空洞２２ｄを設けておくと共に、該空洞２２ｄに連通するような取水口２２ｅと排水口２２ｆとを設けておくと良い。そして、該取水口２２ｅは、エアコンの室内機（不図示）からのドレンホース（不図示）が接続されるようにしてドレン水を取り入れるようにし、前記排水口２２ｆは、該ドレン水を排水するようにすると良い。この内の取水口２２ｅは、なるべく住戸Ｄに近い側に形成すると良く、前記排水口２２ｆは、バルコニーＢの排水溝Ｈに近接する位置に形成すると良い。そのようにした場合には、該下側仕切り手段２をドレン水の排水経路として利用することができるので、前記バルコニーＢを横切るようにドレンホースを配置する必要が無く、見栄えを向上させることができる。
【００２６】
一方、図３（ａ）（ｂ）に例示するように、略棒状の部分４ａを有する部材（以下、“ゴミ止め部”とする）４を前記バルコニーＢの排水溝Ｈ内に配置して、落ち葉などのゴミが該排水溝Ｈを流れて行かないようにすると良い。このゴミ止め部４は前記立設部２２に係止させるようにすると良い。上述した略棒状の部分４ａは、ゴミが前記排水溝Ｈを流れて行かないようにできる形状であればどのような形状でも良いが、好ましくは、櫛歯状にすると良い。
【００２７】
ところで、上述した空洞２２ｄは前記下側仕切り手段２の前記立設部２２に形成しておき、該立設部２２は、その両端又は少なくとも一端（具体的には、前記排水溝Ｈに近接する側の端部）が開口されているようにし（図３（ｂ）の符号２２ｇ参照。つまり、該立設部２２の内部に形成された前記空洞２２ｄはこれらの開口を介して立設部２２の外部に連通された状態となる）、前記ゴミ止め部４は、該開口２２ｇ及び前記空洞２２ｄを閉塞するように前記立設部２２に係止される（つまり、嵌め込まれる）ようにすると良い。
【符号の説明】
【００２８】
１                      バルコニー用仕切り装置
２                      下側仕切り手段
３                      上側仕切り手段
３ａ                    略コ字状の部分
４                      ゴミ止め部
４ａ                    略棒状の部分
２１                    基部
２２                    立設部
２２ａ                  立設部の表面
２２ｂ                  凹凸部
２２ｄ                  空洞
２２ｅ                  取水口
２２ｆ                  排水口
２２ｇ                  立設部の開口
Ｂ                      バルコニー
ＢＦ                    バルコニー床面
Ｃ                      境界線
Ｅ                      隔て板
Ｅａ                    隔て板の下縁
Ｈ                      排水溝
【図１】
2018053620.tif 000003
【図２】
2018053620.tif 000004
【図３】
2018053620.tif 000005
【図４】
2018053620.tif 000006